(57)【要約】  嵩低く構成できる表示シートのコーナ保持装置を提供することを目的とする。  表示シートをそのコーナ部の両縁に沿って挟持する二股形状の一対の保持部材と、この保持部材の二股の形成角を二等分する軸線上で、その軸線の外向き引下げ方向に挟持力を付与する挟持力付与手段とを備え、  前記一対の保持部材は、フレーム側に配される受け保持部材１０と、この受け保持部材の二股の両先端部に可動的に連結される押え保持部材２０とよりなり、ばね体によりフレームのコーナ部に向けて引っ張られるように構成され、  挟持力付与手段３０は、受け保持部材１０と押え保持部材２０の各基端部間に配され、押え保持部材２０のシート押え面と受け保持部材１０のシート受け面とが互いに平行状態を維持しつつ表示シートに外向き引下げ方向の挟持力を付与するように構成されている。
2008117480.tif 000002
【特許請求の範囲】
【請求項１】
表示シートを取付けるフレームのコーナ部に配されるコーナ保持装置であって、
前記表示シートのコーナ部を挟んでその両縁に沿って表示シートを挟み付ける二股形状の上下一対の保持部材と、この一対の保持部材の二股の形成角を二等分する軸線上で、その軸線の外向き引下げ方向に挟持力を付与して表示シートを挟持展張する挟持力付与手段とを備え、
前記一対の保持部材は、前記フレーム側に配される受け保持部材と、この受け保持部材の二股の両先端部に可動的に連結される押え保持部材とよりなり、ばね体により前記フレームのコーナ部に向けて引っ張られるように構成され、
前記挟持力付与手段は、前記受け保持部材と前記押え保持部材の各基端部間に配され、前記受け保持部材の基端部に対して前記押え保持部材の基端部を近接する方向に作動させた際に、前記押え保持部材のシート押え面と前記受け保持部材のシート受け面とが互いに平行状態を維持しつつ表示シートに外向き引下げ方向の挟持力を付与するように構成される
ことを特徴とする表示シートのコーナ保持装置。
【請求項２】
前記受け保持部材の基端部は、前記フレームのコーナ部に基部を支持されるばね体の可動部に連結されて、前記一対の保持部材に引っ張り力が付与される請求項１に記載の表示シートのコーナ保持装置。
【請求項３】
前記受け保持部材の先端部と前記押え保持部材の先端部とは、それぞれの先端部に支点をもつ連結部材にて連結されている請求項１に記載の表示シートのコーナ保持装置。
【請求項４】
前記受け保持部材の先端部と前記押え保持部材の先端部とは、前記受け保持部材に基端部側へ下がり勾配で設けられた長孔に、前記押え保持部材に付設の軸ピンを係合させて連結されている請求項１に記載の表示シートのコーナ保持装置。
【請求項５】
前記受け保持部材の先端部と前記押え保持部材の先端部とはピンにて枢着され、前記押え保持部材の先端部寄り位置に、表示シートの把持面の平行が保てる可撓部分を備えている請求項１に記載の表示シートのコーナ保持装置。
【請求項６】
前記受け保持部材の先端部と前記押え保持部材の先端部とはピンにて枢着され、前記押え保持部材がばね材にて構成されるとともに、表示シートを挟み付ける前の状態で下に凸の湾曲面形状とされている請求項１に記載の表示シートのコーナ保持装置。
【請求項７】
前記一対の保持部材の少なくとも一方の保持部材における表示シート把持面に摩擦力を高める手段が施されている請求項１〜６のいずれかに記載の表示シートのコーナ保持装置。
【請求項８】
前記押え保持部材の表示シート把持面に、下に凸の湾曲面形状のゴム質材にてなる加圧部材が配されている請求項１〜６のいずれかに記載の表示シートのコーナ保持装置。
【請求項９】
前記挟持力付与手段は、前記受け保持部材の基端部を所要の角度で上向き傾斜形状にするとともに、前記押え保持部材の基端部を前記受け保持部材の基端部傾斜面に平行させて上向き傾斜形状とし、この双方の基端部傾斜面同士をねじつがいにて締結することにより、表示シートに挟持力を付与するように構成されている請求項１〜６のいずれかに記載の表示シートのコーナ保持装置。
【請求項１０】
前記受け保持部材の上面もしくは前記押え保持部材の下面に突起部が設けられ、この突起部が設けられない側の保持部材および表示シートに前記突起部が挿通されるとともに、その挿通時に表示シートが自由に動き得る孔が設けられる請求項１〜６のいずれかに記載の表示シートのコーナ保持装置。
【発明の詳細な説明】
【技術分野】
【０００１】
本発明は、ポスターやフィルムシートなどの表示シートをフレームに展張保持させる際、表示シートのコーナ部を均等に保持できるようにした表示シートのコーナ保持装置に関するものである。
【背景技術】
【０００２】
ポスターなどの表示シートをパネルに取付ける手段としては、表示シートの四隅に粘着テープなどを貼り付けて展張した状態に取付けることが一般的に行われている。また、ポスターなどの掲示物が湿気などで弛んだりするのを解消する目的で、ポスターの伸縮に対応できる伸縮性を持たせた括れ部が形成されてなる貼着構造で、掲示物（ポスター）の隅角に取付けて使用される掲示具が特許文献１によって知られている。【０００３】
また、本出願人は、先に、パネルの各コーナ部を保持するシート保持手段と、このシート保持手段と表示シートを支持するテンションパネルのフレームのコーナ部との間に配され、各コーナの内角を二つに分ける直線に沿って緊張力を付与する引張固定手段とを設けて、表示シート全体を展張維持できるようにしたテンションパネルを創生し、実用に供している（特許文献２参照）。さらに、本出願人は、この特許文献２によって知られる引張固定手段における問題点として挙げられる構造を合理化するものを先願発明（特願２００６−１０７６６５号）として提案している。【０００４】
しかしながら、前記特許文献１などによって知られる粘着剤を使用した表示シート（掲示物）の展張取付手段では、湿度や温度の変化によって粘着剤の粘着力が低下して表示シートが剥がれ易く、表示シートに対する展張機能が劣るので、どうしても歪みが発生して見苦しくなるという問題点がある。【０００５】
一方、前記特許文献２による先行技術は、表示シートのコーナ部を保持するシート保持手段とこの保持手段に緊張力を付与する引張固定手段とを表示フレームのコーナ部に設け、表示パネル全体で表示シートを展張掲示する、いわゆるテンションパネルとしての構成であり、各コーナ部で、シート保持手段と引張固定手段とを組み合わせて表示シートを展張保持するものであるから、その構成上どうしても嵩張り、構造も複雑になる。【０００６】
そこで、先願発明（特願２００６−１０７６６５号）においては、引張固定手段としてばね材を使用し、僅かな動きで引張力が得られる構成のものを完成している。しかしながら、シート保持手段として表示シートのコーナ部を保持するものについては、有効な保持力を確保できる構造にするとどうしても複雑で嵩張るものになる。そのために、フレームを形成する部材内に収まるようにしようとすると、構造上フレームの部材が大きくなるという問題点がある。したがって、シートを展張保持するに際してフレーム全体としての厚さ寸法（平面状態での高さ寸法）が厚くできない場合には、シート保持手段のシートと直交する方向の寸法（高さ寸法）を所望の範囲に収めて把持力を確保するのに、従来の方法では実施困難であった。【０００７】
特に、表示シートの展張保持に際し、コーナ部の保持力が十分でないと、シートのコーナ部がその中央部に向かって引き寄せられてコーナ部に皺が発生する。もちろん、シート保持手段を構成する部材についても引張応力に耐えないと撓みが生じてシートのコーナ部での皺発生を誘起する原因となる。表示シートはそのコーナ部で皺が発生すると、長時間の経過によって次第にその皺が拡張されて、全体が展張状態にあるシートに弛みが生じる原因ともなり、外観を損なうという問題がある。【０００８】
【特許文献１】実開平５−５２３２９号公報
【特許文献２】特許第３１６１９１３号公報
【発明の開示】
【発明が解決しようとする課題】
【０００９】
本発明は、前述のような問題点に鑑みてなされたものであって、フレームに取付けられる保持部材で表示シートのコーナ部を挟み付ける操作で、フレームのコーナ部に向けて表示シートを一操作で挟持展張でき、しかも嵩低く形成できる表示シートのコーナ保持装置を提供することを目的とするものである。なお、本発明における表示シートとは、シートを記録媒体として文字・図形などをプリント表示したものおよび映像（画像）などを表示させるフィルム（光透過シート）、光拡散シート・積層電気回路シートなどを総称する。
【課題を解決するための手段】
【００１０】
前記目的を達成するために、本発明による表示シートのコーナ保持装置は、
表示シートを取付けるフレームのコーナ部に配されるコーナ保持装置であって、
前記表示シートのコーナ部を挟んでその両縁に沿って表示シートを挟み付ける二股形状の上下一対の保持部材と、この一対の保持部材の二股の形成角を二等分する軸線上で、その軸線の外向き引下げ方向に挟持力を付与して表示シートを挟持展張する挟持力付与手段とを備え、
前記一対の保持部材は、前記フレーム側に配される受け保持部材と、この受け保持部材の二股の両先端部に可動的に連結される押え保持部材とよりなり、ばね体により前記フレームのコーナ部に向けて引っ張られるように構成され、
前記挟持力付与手段は、前記受け保持部材と前記押え保持部材の各基端部間に配され、前記受け保持部材の基端部に対して前記押え保持部材の基端部を近接する方向に作動させた際に、前記押え保持部材のシート押え面と前記受け保持部材のシート受け面とが互いに平行状態を維持しつつ表示シートに外向き引下げ方向の挟持力を付与するように構成される
ことを特徴とするものである。【００１１】
本発明において、前記受け保持部材の基端部は、前記フレームのコーナ部に基部を支持されるばね体の可動部に連結されて、前記一対の保持部材に引っ張り力が付与される構成であるのが良い。【００１２】
また、本発明において、前記受け保持部材の先端部と前記押え保持部材の先端部とは、それぞれの先端部に支点をもつ連結部材にて連結されているのが好ましい。ここで、連結部材はリンクもしくは連結環であり得る。【００１３】
また、前記受け保持部材の先端部と前記押え保持部材の先端部とは、前記受け保持部材に基端部側へ下がり勾配で設けられた長孔に、前記押え保持部材に付設の軸ピンを係合させて連結されている構成であっても良い。【００１４】
また、前記受け保持部材の先端部と前記押え保持部材の先端部とはピンにて枢着され、前記押え保持部材の先端部寄り位置に、表示シートの把持面の平行が保てる可撓部分を備えている構成とすることもできる。【００１５】
さらに、本発明において、前記受け保持部材の先端部と前記押え保持部材の先端部とはピンにて枢着され、前記押え保持部材がばね材にて構成されるとともに、表示シートを挟み付ける前の状態で下に凸の湾曲面形状とされている構成であっても良い。【００１６】
本発明において、前記一対の保持部材の少なくとも一方の保持部材における表示シート把持面に摩擦力を高める手段が施されているのが好ましい。ここで、摩擦力を高める手段としては、把持面を粗面に形成したり、軟質のプラスチックもしくはゴム質材の層を付着形成するものとするのが好適である。【００１７】
また、本発明において、前記押え保持部材の表示シート把持面に、下に凸の湾曲面形状のゴム質材にてなる加圧部材が配されているのが好ましい。【００１８】
さらに、本発明において、前記挟持力付与手段は、前記受け保持部材の基端部を所要の角度で上向き傾斜形状にするとともに、前記押え保持部材の基端部を前記受け保持部材の基端部傾斜面に平行させて上向き傾斜形状とし、双方の基端部傾斜面同士をねじつがいにて締結することにより、表示シートに挟持力を付与するように構成されているのが良い。【００１９】
また、本発明において、前記受け保持部材の上面もしくは前記押え保持部材の下面に突起部が設けられ、この突起部が設けられない側の保持部材および表示シートに前記突起部が挿通されるとともに、その挿通時に表示シートが自由に動き得る孔が設けられるのが好ましい。
【発明の効果】
【００２０】
本発明においては、嵩張らない形状にされた二股形状の上下一対の保持部材の基端部で挟持力付与手段によって一方の押え側となる押え保持部材を引下げるように操作することで、押え保持部材のシート押え面と受け保持部材のシート受け面とが互いに平行状態を維持しつつ、表示シートのコーナ部に、一対の保持部材の二股の形成角を二等分する軸線上で、その軸線の外向き引下げ方向に展張力を与えるように表示シートが把持される。そして、この状態で保持部材の基端部をフレームに基部を支持されるばね体に繋いで緊結すれば、保持部材にてコーナ部を保持された表示シートが展張状態が高められて安定保持される。したがって、表示シートのコーナ部を展張して装着する際、そのコーナ部を挟持するとともにばね体でフレームに取付ける一回の操作で一方向に展張力を加え、表示シートのコーナ部を挟持展張させることができ、コーナ部での皺の発生をなくして表示シートをフレームに取付ける操作が容易に行えることになる。【００２１】
本発明によれば、二股形状にされた一対の保持部材をその二股の交差する基端部で挟持力付与手段にて把持力が得られる偏平な構造にして、かつ薄型のばね体を使用してフレームのコーナ部に緊結することにより、幅狭いスペースで嵩低く配置することができ、表示シートのコーナ部を挟持すると同時に展張力が付加され、ばね体との連結で表示シートをフレームに確実に展張保持することができる。【００２２】
また、表示シートのコーナ部を挟持展張した一対の保持部材のうち受け保持部材の基端部をばね体に連結するようにすれば、嵩低くしてばね体による緊張力を、より有効に表示シートに作用させることができる。また、前記受け保持部材の先端部と前記押え保持部材の先端部とをリンクなどの連結部材にて連結すれば、簡単な挟持構造にして狭いスペースに配置でき、シートの厚みが変わっても有効に表示シートを展張保持することができる。さらに、受け保持部材の長孔に押え保持部材の軸ピンを係合させた構造、押え保持部材の先端部寄り位置に可撓部分を備えた構造、押え保持部材をばね材にて構成された構造を採用すれば、押え保持部材を一方向に変位させて固定することで合理的に表示シートのコーナ部に挟持力を付与でき、併せて展張力を付与できるという効果を奏する。【００２３】
また、一方の保持部材における表示シート把持面に摩擦力を高める手段を施すようにすれば、保持力をより有効に得ることができ、長期にわたり表示シートを安定して保持できる。また、押え保持部材の表示シート把持面に下に凸の湾曲面形状のゴム質材にてなる加圧部材を配するようにすれば、表示シートのコーナ部を保持部材により挟持する際、挟持力が次第に高められて挟持部でずれを起こさず効果的に挟持することができる。【００２４】
さらに、受け保持部材の基端部を所要の角度で上向き傾斜形状にするとともに、押え保持部材の基端部を受け保持部材の基端部傾斜面に平行させて上向き傾斜形状とし、この双方の基端部傾斜面同士をねじつがいにて締結するようにすれば、簡単な構成で受け保持部材と押え保持部材との両把持面を近接させて表示シートのコーナ部を挟圧しつつ展張力を確保して保持することができる。【００２５】
また、受け保持部材の上面もしくは押え保持部材の下面に突起部を設け、この突起部が設けられない側の保持部材および表示シートに突起部が挿通される孔を設けるようにすれば、押え保持部材の押圧力に加えて、突起部にて表示シートが保持されるので、各保持部材の先端部の負担が軽減でき、軽量かつ簡易な構造で、強い保持力を得ることができる。
【図面の簡単な説明】
【００２６】
【図１】本発明の第１の実施形態に係るコーナ保持装置の一部切欠き平面図
【図２】図１の一部切欠き側面図
【図３】図１のＡ−Ａ視拡大詳細図（ａ）とその（ａ）図の平面視図（ｂ）
【図４】図２の基端部拡大図（ａ）と挟持力付与手段の変形例を示す図（ｂ）
【図５】ばね体を表わす平面図（ａ）とばね体の変形例を表わす斜視図（ｂ）
【図６】第１の実施形態のコーナ保持装置の作動態様模式図
【図７】本発明の第２の実施形態に係るコーナ保持装置を模式的に表わす図（ａ）と連結部を示す摸式図（ｂ）および連結環の斜視図（ｃ）
【図８】本発明の第３の実施形態に係るコーナ保持装置の側面を模式的に表わす図（ａ）と連結部を拡大して表わす平面図（ｂ）
【図９】本発明の第４の実施形態に係るコーナ保持装置の側面を模式的に表わす図
【図１０】本発明の第５の実施形態に係るコーナ保持装置の側面を模式的に表わす図
【図１１】本発明の第６の実施形態に係るコーナ保持装置の平面図（ａ）および側面を模式的に表わす図（ｂ）
【図１２】従来のシート保持方法のテスト要領を表わす図
【図１３】本発明に係るシート保持方法のテスト要領を表わす図
【符号の説明】
【００２７】
１，１Ａ，１Ｂ，１Ｃ，１Ｄ，１Ｅ    コーナ保持装置
２    表示シート
２ａ    表示シートの縁部
３    テンションパネルのフレーム
１０，１０Ａ，１０Ｂ，１０Ｃ，１０Ｄ，１０Ｅ    受け保持部材
１１    受け保持部材の受支部
１１ａ  受け保持部材の先端部
１２，２２    基端部
１３    連結部片
１３ｂ，２３ｂ    連結溝
１５    挿入孔
１６    シート受け面
１７    ナット
１８    連結用の長孔
２０，２０Ａ，２０Ｃ，２０Ｄ，２０Ｅ    押え保持部材
２１    押え部
２３ｂ    連結溝
２５    挿入孔
２６    シート押え面
２７    連結用のリンク
２８，２８′，２９，３９′    連結ピン
３０    挟持力付与手段
３１    ビス
３４    連結環
３５，３５Ａ    ばね体
３９    ばね体取付用のピン
【発明を実施するための最良の形態】
【００２８】
次に、本発明による表示シートのコーナ保持装置の具体的な実施の形態について、図面を参照しつつ説明する。【００２９】
〔第１の実施形態〕
図１には本発明の第１の実施形態におけるコーナ保持装置の一部切欠き平面図が示されている。図２には図１の一部切欠き側面図が、図３には図１のＡ−Ａ視拡大詳細図（ａ）とその平面視図（ｂ）が、図４には図２の基端部拡大図（ａ）と挟持力付与手段の変形例を示す図（ｂ）が、図５にはばね体の一実施形態を表わす平面図（ａ）と他の実施形態の斜視図（ｂ）が、図６には本実施形態のコーナ保持装置の作動態様模式図が、それぞれ示されている。【００３０】
この実施形態の表示シートのコーナ保持装置１（以下、単に「コーナ保持装置１」という。）は、ポスターなどの表示シート２を掲示する所要寸法のテンションパネルに用いられるものである。このテンションパネルは、全体の図示を省略するが、掲示する表示シート２の寸法に応じた外形寸法よりやや大きい形状にされた方形のフレーム３からなる。そして、このコーナ保持装置１は、フレーム３の各コーナ部に取付けられる。【００３１】
このコーナ保持装置１は、表示シート２の縁部２ａを受支してフレーム３側に配される受け保持部材１０と、この受け保持部材１０の上方にその受け保持部材１０に可動的に連結される押え保持部材２０と、これら一対の保持部材１０，２０による表示シート２のコーナ部を挟持する挟持力付与手段３０と、フレーム３のコーナ部に前記一対の保持部材１０，２０を緊結するばね体３５とで構成されている。【００３２】
前記受け保持部材１０は、図１および図２で示されるように、表示シート２のコーナ部の二辺（縁部２ａ，２ａ）に沿って所要長さで細幅の二股形状に適宜厚さの金属板材を切り抜かれ、この二股に形成される受支部１１，１１が交差する基端部１２が取付面（底面）から所要角度（例えば２０〜４０°）で上向きに傾斜させて構成されている。また、前記二股に形成される受支部１１，１１の各先端部１１ａには、前記各受支部１１，１１の中心線ｄ，ｄの交点ｅを通り両保持部材１０，２０の内角を二等分する軸線Ｂに平行するようにして連結部片１３，１３が起立形成されている。前記各連結部片１３には双方を結ぶ同一軸線Ｂ′上に連結ピン孔１４が設けられている。また、前記基端部１２にはその傾斜面の略中央に斜面に直交して挿入孔１５が設けてあり、その基端部１２を延長して受支部１１と平行にされた部分には、緊結用のばね体３５と連結する連結孔１２ａが穿設されている。【００３３】
前記押え保持部材２０は、金属板で断面Ｌ字形に屈曲されて前記受け保持部材１０と同様に二股に形成され、その二股に分かれた押え部２１，２１の幅寸法が前記受け保持部材１０の受支部１１，１１と略同寸法にされている。そして、この押え部２１，２１の外側部には上向きに起立するリブ２３が屈曲形成されている。また、両押え部２１，２１が交差する基端部２２は前記受け保持部材１０の基端部１２と同様に上向きに傾斜され、その略中央部に挿入孔２５が穿設されている。また、前記押え部２１，２１の各先端部２１ｂは、図３に示されるように、前記受け保持部材１０の先端部１１ａと対応するように前記起立するリブ２３が両先端部２１ｂ，２１ｂ同士が互いに平行になるように屈曲形成され、その各先端部２１ｂ，２１ｂのリブ部分２３ａに同軸線上に連結ピン孔２４が設けられている。【００３４】
前述のように形成される受け保持部材１０と押え保持部材２０とは、受け保持部材１０の両受支部１１，１１の先端部１１ａ，１１ａに設けられる各連結部片１３と押え保持部材２０の押え部２１，２１の各先端部２１ｂに設けられる上向きリブ部分２３ａとが、連結用のリンク（連結部材）２７により、前記連結部片１３に穿設の連結ピン孔１４とリンク２７のピン孔２７ａおよび押え保持部材２０の先端部２１ｂに穿設の連結ピン孔２４とリンク２７のピン孔２７ｂに、連結ピン２８と連結ピン２８′とをそれぞれ挿通して連結され、これによって両保持部材１０，２０が上下に開閉可能に重ね合わせられている。そして、受け保持部材１０と押え保持部材２０との基端部１２，２２には、挟持力付与手段３０として、押え保持部材２０の基端部２２に設けた挿入孔２５から受け保持部材１０の基端部１２に設けた挿入孔１５にビス３１を挿通してナット１７に捻じ込むことにより、受け保持部材１０のシート受け面１６（上面）と、押え保持部材２０のシート押え面２６（下面）とによって表示シート２のコーナ縁部２ａ，２ａを把持し、保持するようにされている。ここで、ナット１７はビス３１の回転時に連れ回りしないように回り止めされている。なお、図２に示されるように、前記押え保持部材２０における連結ピン２８′（連結ピン孔２４）中心から基端部２２の挿入孔２５中心までの距離Ｌに対して、受け保持部材１０における連結ピン２８（連結ピン孔１４）中心から基端部１２の挿入孔１５中心までの距離Ｌ′がやや長くなるように形成されている。また、前記リンク２７は、受け保持部材１０のシート受け面１６と押え保持部材２０のシート押え面２６が対向した状態（表示シート２を挟みつける前の状態）で、押え保持部材２０のシート押え面２６と表示シート２の間に僅かな間隙が生じる程度となるように、連結ピン２８と連結ピン２８′の間の寸法が設定されている。図３（ｂ）中、符号２８ａはスペーサーである。【００３５】
なお、前記ばね体３５は、図５（ａ）に示されるように、弾性線材を屈曲成形してなるものであり、弾性材で二つのＬ字形に形成された内側Ｌ字形部分３７と外側Ｌ字形部分３７´とを両端部で一体に連結して二股状に形成されている。具体的には、所要線径のばね鋼にてなる内側Ｌ字形部分３７は、その屈曲部に相当する箇所でループ状に巻成した連結部３６が形成され、外側Ｌ字形部分３７′は屈曲部３８で成形した線材の端部をつき合わせるようにして、全体を一本の線材で成形されている。なお、外側Ｌ字形部分３７′での脚長Ｊに対して、内側Ｌ字形部分３７の脚長Ｊ′がほぼ１００：９８〜７０で左右対称に構成されている。そして、前記内側Ｌ字形部分３７の開脚角度が９０°よりやや広い角度にされている（ただしこれに限定されない）。このように形成されたばね体３５は、外側Ｌ字形部分３７´の屈曲部３８の内側でフレーム３に植設されたピン３９（図では頭付きねじ）で係止され、内側Ｌ字形部分３７のループ状の連結部３６に前記受け保持部材１０の基端部１２に設けられた連結孔１２ａに頭付きピン３９′が挿入係合されることにより、受け保持部材１０とこのばね体３５とが繋がれるようにされている。【００３６】
前記ばね体３５に代えて、図５（ｂ）で示されるように、前記ばね体３５と同様に弾性線材で二つのＬ字形に屈曲形成されたものを内側Ｌ字形部分３７ａの中央部で一体に連結して二股状に繋いで一体に形成されたばね体３５Ａを用いても良い。このばね体３５Ａは、内側Ｌ字形部分３７ａにおける屈曲部に上向きに突き出して先端部が鉤形に形成された連結部３６ａを設け、外側Ｌ字形部分３７ｂの屈曲部を小さく湾曲させてその湾曲部をフレームに植設の頭付きピンと係合して、このばね体３５Ａを取付けるように構成されている。このばね体３５Ａを使用する場合は、前記鉤形の連結部３６ａを受け保持部材１０の連結孔１２ａに引っ掛けて連結する。【００３７】
次に、このように構成される本実施形態の表示シートのコーナ保持装置１の使用態様と作用について、図６に示される作動態様模式図を参照しつつ説明する。【００３８】
まず、表示シート２を表示パネルに展張掲示するには、その表示シート２のコーナ部を図１に二点鎖線ｃにて示されるように受け保持部材１０のシート受け面１６上にコーナ縁部２ａ，２ａを配置して、その上側に押え保持部材２０の押え部２１，２１を重ねる。その後、押え保持部材２０の基端部２２における挿入孔２５から受け保持部材１０の基端部１２における挿入孔１５にビス３１を挿通してナット１７に螺合させて締め込むようにして挟持力付与手段３０を作動させる。【００３９】
受け保持部材１０と押え保持部材２０とは、前述のように受支部１１，１１と押え部２１，２１との各先端部１１ａ，２１ｂがそれぞれリンク２７によって連結され、そのリンク２７がそれぞれ連結ピン２８，２８′で回動自在になって押え保持部材２０がフリーの状態にある。そして、前記両先端部１１ａ，２１ｂ（先端の連結部）は、両保持部材１０，２０の二股に分かれた受支部１１および押え部２１の各中心線ｄ、ｄの交点ｅを通る軸線Ｂに平行する状態で、両保持部材１０，２０の基端部１２，２２が上向き傾斜状態にされているので、この傾斜面に交差する向きで押え保持部材２０の挿入孔２５から受け保持部材１０の基端部１２の挿入孔１５にビス３１が挿入されナット１７に螺合される（Ｄ方向にねじ込まれる）と、押え保持部材２０がＤ方向に引寄せられ、同時にシート押え面２６がシート受け面１６上にある表示シート２の上面に押付けられ（Ｅ方向に押圧力が作用）、そのシート受け面１６とシート押え面２６とによって表示シート２のコーナ縁部２ａが固定保持される。なお、図６（ａ）においてネット１７は図示省略されている（以下の実施形態についても同様）。【００４０】
この挟持操作に際して、前述のように、押え保持部材２０における連結ピン２８の中心から挿入孔２５の中心までの距離Ｌが、受け保持部材１０における連結ピン２８の中心から挿入孔１５の中心までの距離Ｌ´に比べてやや短くされ、かつ押え保持部材２０の一端部（先端部）が受け保持部材１０とリンク２７で連結されて他端部（基端部側）でのねじつがいによる締め付けにより、押え保持部材２０の基端部２２の傾斜面が、受け保持部材１０の基端部１２の傾斜面に引かれるように作用し、かつ挟み付ける表示シート２に対する押え保持部材２０のシート押え面２６と表示シート２面との位置関係が僅かな隙間で対峙する状態から、前記ビス３１の締め込みで挟持力が矢印Ｄ方向へ加えられる。すると、押え保持部材２０側の前記距離Ｌが受け保持部材１０側の前記距離Ｌ´に比べて短くされていることから、リンク２７が連結ピン２８を基点として矢印ｇの方向に回動し、押え保持部材２０のシート押え面２６が近似的に矢印ｆの方向へ平行移動して表示シート２表面との接触範囲でほぼ全面に強く接触し、ビス３１が図４（ａ）で矢印ｈ方向に回動し、表示シート２のコーナ縁部２ａがシート押え面２６とシート受け面１６とによって挟持される。したがって、押え保持部材２０のシート押え面２６は僅かに水平移動することにより、矢印Ｅ方向への押付け力と矢印Ｆ方向への水平移動力による合力で表示シート２を展張させることができるのである。この結果、このコーナ保持装置１によれば、表示シート２のコーナ部を挟持することにより、同時に表示シート２の展張を併せ行うことができる。【００４１】
こうして両保持部材１０，２０によって表示シート２のコーナ部が挟持された状態で、受け保持部材１０の基端部１２における連結孔１２ａを、予めフレーム３のコーナ部のピン３９によって保持配置されたばね体３５の連結部３６に、連結用のピン３９′を係合させ緊結する。すると、このばね体３５による緊張力が保持部材１０，２０を介して把持している表示シート２に作用し、より一層の展張挟持力がその表示シートのコーナ部に付与される。そして、この表示シート２のコーナ部を展張保持する操作は、前述のように一対の保持部材１０，２０によるコーナ部の把持固定とばね体３５を介してのフレーム３への取付けを一回の簡単な操作で行えて、長期間にわたり緩みを発生することなく展張維持することができる。【００４２】
また、この形式のコーナ保持装置１によれば、受け保持部材１０と押え保持部材２０との連結部にリンク２７を介在させる構成であるので、前述のように表示シート２に対して直接的に垂直方向に押付けて挟持する場合に比べて強力な保持力が得られるという利点がある。【００４３】
本実施形態では、挟持力付与手段３０として、ビス３１を挿入孔２５，１５に挿通してナット１７に締め込むようにしたものを説明したが、この挟持力付与手段３０の変形例として、図４（ｂ）に示されるように、押え保持部材２０の基端部２２´および受け保持部材１０の基端部１２´にそれぞれ凹部２２ａ´、１２ａ´を設けるとともに、これら凹部２２ａ´、１２ａ´に嵌り込むように円柱状のワッシャ１９ａと円柱状のナット１９ｂとをそれぞれ設け、ビス３１をワッシャ１９ａに挿通した後、挿入孔２５，１５に挿通し、ナット１９ｂに捻じ込むようにすることもできる。このような構成によっても、ビス３１のねじ込み時に矢印ｈ方向に回動し、表示シート２のコーナ縁部２ａが挟持される。また、その他の構成として、ビス３１に代えて、パチン錠を用いることも可能である。【００４４】
〔第２の実施形態〕
次に、図７で示されるのは、本発明の第２の実施形態に係るコーナ保持装置を模式的に表わす図（ａ）と連結部材を示す摸式図（ｂ）および連結環の斜視図（ｃ）である。この実施形態のコーナ保持装置１Ａは、基本的構成において前記実施形態のものと同様であり、受け保持部材１０Ａと押え保持部材２０Ａとの連結部およびばね体との緊結部での構成を異にするものであるから、前記実施形態のものと同じ部位で形状の異なる部分には添え字を付して表し、同一もしくは同様の構成部分については、前記実施形態と同一の符号を付して詳細な説明を省略する。【００４５】
この実施形態のコーナ保持装置１Ａにおいては、受け保持部材１０Ａおよび押え保持部材２０Ａがともにやや肉厚金属板（たとえば、板厚が２〜３ｍｍ）で前記実施形態と同様に二股状に切り抜き形成されている。押え保持部材２０の基端部２２は、所要の角度で斜め上向きに傾斜され、受け保持部材１０Ａの基端部１２には前記基端部２２と同様の傾斜面を形成する膨出部１２ｂが形成され、その膨出部１２ｂには挿入孔１５が、押え保持部材２０Ａの基端部２２には前記挿入孔１５に対応して挿入孔２５が、それぞれ設けられている。そして、前記受け保持部材１０Ａの基端部１２は前方へ所要長さ延長して連結孔１２ａが設けてある。【００４６】
また、受け保持部材１０Ａの両受支部１１，１１の先端部１１ａには、前記実施形態と同様に、その受支部１１の中心線の交点を通り両側に等分する角をなす軸線Ｂに直交するようにして双方の先端部１１ａを結ぶ同一軸線Ｂ′上に、下面に内側を円弧状にした連結溝１３ａが設けられている。また、押え保持部材２０Ａの両押え部２１，２１の先端部２１ｂには、前記受け保持部材１０Ａと同様にして上面に内側を円弧状にした連結溝２３ｂが設けられている。なお、先端部１１ａ，２１ｂの幅は、図７（ａ）にて示されるように幅寸法を受支部１１および押え部２１より狭くして、挟持する表示シート２の縁部に支障がないように設定されている。【００４７】
このようにされる受け保持部材１０Ａと押え保持部材２０Ａとの先端部１１ａ，２１ｂは、この両先端部１１ａ，２１ｂを跨いで連結環（連結部材）３４により連結されている。この連結環３４は、金属または樹脂製で内周３４ａが円曲面にして四角形に形成されている。そして、前記連結環３４の内寸法は、上下方向に両保持部材１０Ａ，２０Ａの先端部１１ａ，２１ｂに挿入して、それぞれの連結溝１３ａ，２３ｂに連結環３４の上下内周面３４ａが係合して連結状態とされたときに、受け保持部材１０Ａのシート受け面１６と押え保持部材２０Ａのシート押え面２６とが挟持する表示シート２に対して僅かな間隙を有するように設定されている。【００４８】
このように構成されるコーナ保持装置１Ａによれば、前記実施形態と同様に、受け保持部材１０Ａと押え保持部材２０Ａとによって表示シート２のコーナ縁部を挟んで、挟持力付与手段３０のビス３１を押え保持部材２０Ａの基端部２２の挿入孔２５から受け保持部材１０Ａの基端部１２の挿入孔１５に挿通してナット（図示せず）に捻じ込むことにより、矢印Ｄ方向への作用力が働く。すると、受け保持部材１０Ａに対して押え保持部材２０Ａが連結溝２３ｂに係合している連結環３４によって連結され、この連結環３４が連結溝１３ａ，２３ｂと曲面をした内周面３４ａで当接しているので上下でそれぞれ軸として機能し、前記Ｄ方向への引寄せ作用で連結環３４が傾動変位して押え保持部材２０Ａのシート押え面２６が近似的に平行移動し、表示シート２表面との接触範囲で強く接触し、シート受け面１６とによって表示シート２の縁部が挟持される。同時に、押え保持部材２０のシート押え面２６が僅かに水平移動することにより、矢印Ｅ方向への押付け力と矢印Ｆ方向への水平移動力による合力で表示シート２を展張させるのである。要するに前記連結環３４の上下の部位が軸の働きをして押え保持部材２０Ａのスライド変位を容易にし、一対の保持部材１０Ａ，２０Ａによる表示シート２の展張挟持を確実に行うことができる。以後、表示シート２のコーナ部を保持して前記実施形態と同要領でフレーム３側に位置するばね体３５に緊結することにより、表示シートをフレーム３に展張保持することができる。【００４９】
また、この実施形態のコーナ保持装置１Ａによれば、構造を簡単にでき、しかも組付け操作も至極簡単であるから、コストを大幅に下げることができるという利点がある。なお、前記連結環３４は、必要に応じてＯリングを用いることも可能である。【００５０】
〔第３の実施形態〕
次に、図８には本発明の第３の実施形態に係るコーナ保持装置の側面を模式的に表わす図（ａ）と連結部を拡大して表わす平面図（ｂ）が示されている。この実施形態のコーナ保持装置１Ｂは、基本構成において前記実施形態と同様であり、受け保持部材１０と押え保持部材２０との連結部での構成を異にするものである。したがって、前記実施形態のものと同一もしくは同様の構成部分については、前記実施形態と同一の符号を付して詳細な説明を省略する。【００５１】
この実施形態のコーナ保持装置１Ｂは、前記実施形態と同様形状の受け保持部材１０Ｂと押え保持部材２０Ｂとでなり、適宜厚みの板材から切り抜き形成される受け保持部材１０Ｂの各受支部１１先端には、直立して連結部片１３Ｂが、前記両受支部１１の中心線が交差する基端部１２での交点を通る軸線に平行するように、両受支部１１の先端部１１ａを上向きに屈曲されて、シート受け面１６から起立形成されている。【００５２】
このようにされる受け保持部材１０Ｂの両先端部１１ａの連結部片１３Ｂに対して、押え保持部材２０Ｂの先端部２１ａは、前記実施形態と同様にＬ字形断面の部材で（図においては板材で表している）形成されるシーと押え面２６の起立するリブの一部が、前記受け保持部材１０の連結部片１３Ｂの外側面に沿うように内側に向けて屈曲形成され、両先端部１１ａ，２１ａが互いに平行する状態にされている。【００５３】
そして、前記受け保持部材１０Ｂ側の両連結部片１３Ｂには、適宜角度で基端部１２側に向かって下がり勾配の長孔１８が等位置にそれぞれ形成され、対する押え保持部材２０Ｂの両先端部２１ａには頭付き連結ピン２９を横向きに両先端部２１ａで同軸線上に設けて、この各連結ピン２９を前記長孔１８にそれぞれ挿通し、この頭付き連結ピン２９の先端をかしめるなどして抜け落ちないようにされている。なお、この形式では、挟持操作前の状態で、受け保持部材１０Ｂのシート受け面１６（上面）と押え保持部材のシート押え面２６（下面）との間隔が、両者を重ね合わせて表示シート２を介在させた未挟持状態で、ごく僅かな隙間が形成されるように（例えば押え保持部材２０Ｂが表示シート２の上に載っているような状態に）、連結ピン２９が前記長孔１８の後端位置に位置するように設定されているのが好ましい。なお、押え保持部材２０Ｂと受け保持部材１０Ｂとの連結部から挟持力付与手段３０のねじつがいによる挟持力付与位置までの各距離Ｌ，Ｌ′については前記第１の実施形態と同様にされている。【００５４】
このように構成されるコーナ保持装置１Ｂでは、挟持力付与手段３０としてのビス３１を押え保持部材２０Ｂの基端部２２に設けた挿入孔２５から受け保持部材１０Ｂの基端部１２における挿入孔１５に挿通してナット（図示せず）に捻じ込むことにより、前記実施形態の場合と同様に、矢印Ｄ方向への作用力が働き、押え保持部材２０Ｂの先端部２１ａと受け保持部材１０Ｂの先端部１１ａとの連結箇所では連結部片１３Ｂに設けられた長孔１８に嵌る連結ピン２９が、その長孔２９の下がり勾配に沿って移動する。したがって、押え保持部材２０Ｂはフレームのコーナに向かって引下げられ、これによって生じる押え保持部材２０Ｂのシート押え面２６への矢印Ｅ方向への押付け作用力と、ビス３１の捻じ込みによる矢印Ｄ方向への引下げ作用力とによって、表示シート２のコーナ縁部２ａには同時に展張力が作用し、コーナ部での皺の発生がなく、展張されつつ挟持されて安定保持されるのである。なお、一対の保持部材による表示シート２のフレーム３へのばね体３５による緊結操作については前記実施形態と同様である。【００５５】
本実施形態のコーナ保持装置１Ｂによれば、構造が簡単であるから、全体をコンパクトにまとめることが可能であり、テンションパネルの寸法の大小や、形状に合わせて自由な形のテンションパネルを作成するのに好都合である。【００５６】
〔第４の実施形態〕
次に、図９で示されるのは、本発明の第４の実施形態に係るコーナ保持装置の側面を模式的に表わす図である。この実施形態のコーナ保持装置１Ｃは、基本的構成において前述の実施形態と同様であり、受け保持部材と押え保持部材との連結部での構成を異にするものである。したがって、前記実施形態のものと同一もしくは同様の構成部分については、前記実施形態と同一の符号を付して詳細な説明は省略する。また、フレームへのばね体による緊結構成についても前述のものと同様であるから説明を省略する（以下同様。）。【００５７】
この実施形態のコーナ保持装置１Ｃは、前記同様の受け保持部材１０Ｃと押え保持部材２０Ｃとが連結される受支部１１および押え部２１の先端部１１ａ，２１ｃを連結する部分での構成が連結ピン２８による枢支構造になっているものである。このコーナ保持装置１Ｃでは、押え保持部材２０Ｃの先端部２１ｃにおける連結位置からやや離れた位置に可撓性を備えた形状の弾性変形部２１ｄが設けられており、連結される押え保持部材２０Ｃのシート押え面２６と受け保持部材１０Ｃのシート受け面１６との間隔Ｔが、組み合わせた状態で、挟持される表示シート２の厚さ寸法ｔよりもやや小さい寸法となるように形成されている。前記間隙寸法としては、例えば表示シートの厚みを３００μｍとすると、間隙Ｔが２００μｍに設定される。なお、図９では挟持構造を明瞭にするために、表示シート２の厚みｔよりシート受け面１６とシート押え面２６との間の間隔Ｔの寸法を大きく表している。【００５８】
このような構成のコーナ保持装置１Ｃによれば、表示シート２の挟持操作時に連結ピン２８の位置は不変であるが、押え保持部材２０Ｃの弾性変形部２１ｄにおいて歪みが緩衝され、その押え保持部材２０Ｃのシート押え面２６をシート受け面１６に対し平行に作用させて表示シート２を強固に保持することができる。【００５９】
〔第５の実施形態〕
図１０には本発明の第５の実施形態に係るコーナ保持装置の側面を模式的に表わす図が示されている。このコーナ保持装置１Ｄは、押え保持部材２０Ｄのシート押え面２６に保持力を高める機能を付加した構成のものである。したがって、基本的構成において前記実施形態と同様であり、押え保持部材の一部の構成を異にするものであるから、前記実施形態のものと同一もしくは同様の構成部分については、前記実施形態と同一の符号を付して詳細な説明を省略する。【００６０】
この実施形態のコーナ保持装置１Ｄは、受け保持部材１０Ｄと押え保持部材２０Ｄとの連結位置における連結ピン２８が定位置に設けられており、押え保持部材２０Ｄの下面に、中高にされて長手方向に突曲面とされたゴム質材料でなる把持層２６Ｄが付着形成されたものである。【００６１】
このように構成される押え保持部材２０Ｄを備えたコーナ保持装置１Ｄによれば、前述の要領で表示シート２の保持操作を行えば、押え保持部材２０Ｄが矢印Ｄ方向に引かれることにより受け保持部材１０Ｄ側に変位する際、枢支点（連結ピン２８）周りに回動しても、把持層２６Ｄによって自動的に接触面が補整され、その結果表示シート２が受支部１１のほぼ全長にわたって挟持され、安定保持されることになる。もちろん、展張機能も併せ得られるのである。この構成によれば、保持する表示シート２が硬い材質のものである場合、あるいは厚みが厚いシートであるときにも有効である。【００６２】
なお、前記押え保持部材２０Ｄの下面にゴム質材による把持層２６Ｄを形成する代わりに、そのシート押え面２６（下面）を長手方向で緩やかな突曲面に形成し、その表面を粗面にすることによっても同様な効果を期待することができる。【００６３】
また、前述の実施形態の押え保持部材２０〜２０Ｃにおける下面や受け保持部材１０〜１０Ｃの上面（押え保持部材および受け保持部材の表示シート当接面）を、粗面にしたり、ゴム質材料による把持層を積層するようにして、表示シートの保持力を高めるようにすることができる。【００６４】
〔第６の実施形態〕
図１１には本発明の第６の実施形態に係るコーナ保持装置の平面図（ａ）および側面を模式的に表わす図（ｂ）が示されている。このコーナ保持装置１Ｅは、その基本的構成は前記第１の実施形態と同様であるから、前記実施形態のものと同一もしくは同様の構成部分については、前記実施形態と同一の符号を付して詳細な説明を省略する。【００６５】
この実施形態のコーナ保持装置１Ｅにおいては、受け保持部材１０Ｅにおける二股に形成される受支部１１，１１の中央部上面に円柱状の突起部５０を立設するとともに、押え保持部材２０Ｅおよび表示シート２のそれぞれに前記突起部５０の径よりも少し大きめの径の孔５１，５２を設けたものである。このように構成したものでは、受け保持部材１０Ｅの突起部５０を表示シート２の孔５２および押え保持部材１０Ｅの孔５１に挿通した状態で、ビス３１の締め込みによって押え保持部材１０Ｅのシート押え面２６と受け保持部材２０Ｅのシート受け面１６との間でシート２が挟持保持される。【００６６】
このコーナ保持装置１Ｅによれば、一対の保持部材１０Ｅ，２０Ｅにより保持部材の二股の形成角を二等分する軸線の外向き引下げ方向に付与される挟持力に加えて、突起部５０の抵抗による保持力を得ることができるので、各保持部材１０Ｅ，２０Ｅ先端部の連結ピン２８，２８´の負担を軽減することができ、より軽量かつ簡易な構造で強い保持力を得ることができる。この結果、コーナ保持装置自体の薄肉化を進めることができる。【００６７】
上板と下板とで表示シートを挟み付けて締付用ねじで締め付けるタイプの従来装置において、上述のような突起部５０を単に設けるだけでは、表示シートを上板と下板とで押付けた時に、表示シートの一部分が突起部に接触したり、あるいは上板に押えられていない部分で突起部が表示シートに接触することにより、表示シートに皺が発生し易いという欠点がある。これに対して、本実施形態によれば、一対の保持部材１０Ｅ，２０Ｅのシート押え面２６とシート受け面１６とが平行状態を維持したまま押付けられ、かつ表示シート２と押え保持部材２０Ｅを貫通する突起部５０が設けられていることによって、押え保持部材２０Ｅと表示シート２とのずれの発生を確実に防ぐことができる。ここで、突起部５０を押え保持部材２０Ｅ側に設けるとともに、孔５１を受け保持部材１０Ｅ側に設けるようにしても良い。なお、本実施形態の構造は、前述の各実施形態のシート保持装置のいずれに対しても適用することができる。【００６８】
前記各実施形態において、挟持力付与手段３０としては、前述のように両保持部材の基端部を「ねじつがい」によって操作するものに代えて、図示省略するが、押え保持部材の基端部上面あるいは下面に前記コーナ部の交点を通る軸線と直交する向きの突起条を設け、受け保持部材の基端部にクランプレバーを設けてこのクランプレバーを前記突起条に掛け止めるように係合し、挟持力を付加する構成とすることもできる。あるいは受け保持部材側に取付けたカムレバーを回動させて押え保持部材の基端部縁から前記カムで挟み込むようにしてもよい。また、前記ビスによる締め付けに代えてねじ棒を受け保持部材の基端部側に取付けて、押え保持部材の基端部側から例えば蝶ナットを前記ねじ棒に螺合させるようにしてもよい。またさらに、図示省略するが、前述の受け保持部材の下側に二股状のばね体を付設して展張機能を高めるようにし、前記ばね体と組み合わせて使用することも可能である。【００６９】
次に、本発明に係る表示シートのコーナ保持装置によるシートの保持力を確かめるために、従来実施していたシートの保持方法と比較検討するテストを次の要領で行った。【００７０】
まず、テストの要領としては、従来のシート保持では、図１２（ａ）（ｂ）で示されるように、上下一対の把持部材４０，４１でシートのテスト片６０の一端部を挟みつけ、そのテスト片６０の他端部を牽引する方法で行った。このテストでは、把持部材４０，４１（シート保持部材に対応）として、図示するように、厚み７ｍｍ、高さ２５ｍｍの角形棒材を用い、上側の把持部材４１に対して垂直荷重Ｊを付加し、テスト片６０の自由端をばね秤にて引っ張り、テスト片６０が移動（ズレ）始めるときの力を前記ばね秤によって計測した。テスト片６０としては、幅６０ｍｍで厚さ１．７５ｍｍのポリエステル樹脂板６１の上下両面に０．２５ｍｍのコート紙６２，６２を積層して一体化したシートと、厚さ１．５０ｍｍのポリエステル樹脂板６１の上下両面に０．２５ｍｍのコート紙６２，６２を積層して一体化したシートの二種類を用いた。これに対して垂直荷重Ｊの付加力（押付け荷重）を変化させてテスト片６０の耐引張力を計測した。その結果が表１に示されている。【００７１】
【表１】
2008117480.tif 000003
【００７２】
本発明に係るコーナ保持装置での保持力のテストとしては、図１３（ａ）（ｂ）で示されるように、幅７ｍｍ、高さ２５ｍｍ、長さ１５０ｍｍの角形棒材を把持部材４０Ａ，４１Ａとして用い、この把持部材４０Ａ，４１Ａを上下に配して一端部で両側をリンク片４４によりそれぞれ可動的にピン４５，４５′で連結し、下側の把持部材４０Ａを定置して、上側の把持部材４１Ａのフリー端をばね秤に繋いで斜め下方向に引っ張るようにした。またテスト片６０は、前記従来シートの保持テストと同様の幅６０ｍｍで厚さ１．７５ｍｍのポリエステル樹脂板の上下両面に０．２５ｍｍのコート紙を積層して一体化したシートを用いた。テスト要領は、上下に配された把持部材４０Ａ，４１Ａ間に前記テスト片６０の一端部を挟み、そのテスト片６０のフリー端をばね秤で引っ張り、展張力荷重Ｊ′の付加力（前記Ｄ方向への作用力）を変化させてテスト片６０の耐引張力を計測した。なお、上側の把持部材４１Ａは、初期傾き角度１５°として引っ張った。この際前記従来方式と同様にテスト片６０が移動（ズレ）し始めるときの力を計測した。このテストの結果が表２に示されている。【００７３】
【表２】
2008117480.tif 000004
【００７４】
上記テストの結果から、表示シートの展張保持は、従来の垂直荷重付加方式と本発明に係る展張付加方式による保持固定力を比較して、保持部材（把持部材）に対する引張角度（Ｄ方向への）を２０度から４０度にした場合は、２００〜２５０％の強い保持力が得られることが判明した。しかも、その展張保持力を付与するのに、１組の保持部材に対して１箇所で挟持力付与手段を操作（ねじ止め又はクランプ）することができるので、作業性が容易であり、また、押え保持部材を持上げてコーナ部を差し込むようにすることで簡単に表示シートが取付けられるので、表示シートの装着も一層容易にすることができるのである。【００７５】
前記各実施形態においては、表示シートのコーナ保持装置をテンションパネルのコーナ部に用いることについて説明したが、本発明は、大型のスクリーンを構成するシートや、リアプロジェクションテレビの表示シート、あるいは液晶テレビなどの光拡散シートの展張装置に対しても適用することができる。
【図１】
2008117480.tif 000005
【図２】
2008117480.tif 000006
【図３】
2008117480.tif 000007
【図４】
2008117480.tif 000008
【図５】
2008117480.tif 000009
【図６】
2008117480.tif 000010
【図７】
2008117480.tif 000011
【図８】
2008117480.tif 000012
【図９】
2008117480.tif 000013
【図１０】
2008117480.tif 000014
【図１１】
2008117480.tif 000015
【図１２】
2008117480.tif 000016
【図１３】
2008117480.tif 000017
【国際調査報告】
2008117480.tif 000018
2008117480.tif 000019
2008117480.tif 000020
2008117480.tif 000021